【手続補正書】
【提出日】平成22年8月16日(2010.8.16)
【手続補正１】
【補正対象書類名】特許請求の範囲
【補正対象項目名】全文
【補正方法】変更
【補正の内容】
【特許請求の範囲】
【請求項１】
製本装置であって、
複数のシートを含むシート束の中央部分に綴じ処理を実行するとともに該中央部分を基準とした折り処理を実行する製本手段と、
前記製本手段により前記綴じ処理及び前記折り処理が実行されたシート束の背の部分に平坦面を形成する加工処理を実行する加工処理手段と、
前記製本手段により前記綴じ処理及び前記折り処理が実行されたシート束に含まれるシートの枚数が所定枚数以下となる場合は前記綴じ処理及び前記折り処理が実行されたシート束に対して前記加工処理が実行されたシート束を生成する第１の処理モード又は前記綴じ処理及び前記折り処理が実行されたシート束に対して前記加工処理が実行されたシート束を生成しない第２の処理モードのいずれかで前記製本装置を動作させ、前記製本手段により前記綴じ処理及び前記折り処理が実行されたシート束に含まれるシートの枚数が前記所定枚数より多くなる場合は前記第１の処理モードで前記製本装置を動作させるよう制御する制御手段と、
を有することを特徴とする製本装置。
【請求項２】
製本装置であって、
複数のシートを含むシート束の中央部分に綴じ処理を実行するとともに該中央部分を基準とした折り処理を実行する製本手段と、
前記製本手段により前記綴じ処理及び前記折り処理が実行されたシート束の背の部分に平坦面を形成する加工処理を実行する加工処理手段と、
前記製本手段により前記綴じ処理及び前記折り処理が実行されたシート束に含まれるシートの枚数が所定枚数以上となる場合は前記綴じ処理及び前記折り処理が実行されたシート束に対して前記加工処理が実行されたシート束を生成する第１の処理モード又は前記綴じ処理及び前記折り処理が実行されたシート束に対して前記加工処理が実行されたシート束を生成しない第２の処理モードのいずれかで前記製本装置を動作させ、前記製本手段により前記綴じ処理及び前記折り処理が実行されたシート束に含まれるシートの枚数が前記所定枚数より少なくなる場合は前記第２の処理モードで前記製本装置を動作させるよう制御する制御手段と、
を有することを特徴とする製本装置。
【請求項３】
画像データを入力する入力手段と、
前記入力手段により入力される画像データに基づいてシート上に画像を印刷する印刷手段とをさらに有し、
前記製本手段は、前記印刷手段により印刷が行われた複数のシートを含むシート束の中央部分に前記綴じ処理を実行するとともに該中央部分を基準とした前記折り処理を実行することを特徴とする請求項１又は２に記載の製本装置。
【請求項４】
前記印刷手段による画像の印刷に用いられるシートの種類を設定する設定手段をさらに有し、
前記所定枚数は、前記設定手段により設定される前記シートの種類に応じた枚数であることを特徴とする請求項３に記載の製本装置。
【請求項５】
製本装置であって、
複数のシートを含むシート束の中央部分に綴じ処理を実行するとともに該中央部分を基準とした折り処理を実行する製本手段と、
前記製本手段により前記綴じ処理及び前記折り処理が実行されたシート束の背の部分に平坦面を形成する加工処理を実行する加工処理手段と、
前記製本手段により前記綴じ処理及び前記折り処理が実行されたシート束に含まれるシートの枚数が第１所定枚数以上かつ前記第１所定枚数より多い第２所定枚数以下となる場合は前記綴じ処理及び前記折り処理が実行されたシート束に対して前記加工処理が実行されたシート束を生成する第１の処理モード又は前記綴じ処理及び前記折り処理が実行されたシート束に対して前記加工処理が実行されたシート束を生成しない第２の処理モードのいずれかで前記製本装置を動作させ、前記製本手段により前記綴じ処理及び前記折り処理が実行されたシート束に含まれるシートの枚数が前記第１所定枚数より少なくなる場合は前記第２の処理モードで前記製本装置を動作させ、前記印刷手段により印刷されるシートの枚数が前記第２所定枚数より多くなる場合は前記第１の処理モードで前記製本装置を動作させるよう制御する制御手段と、
を有することを特徴とする製本装置。
【請求項６】
画像データを入力する入力手段と、
前記入力手段により入力される画像データに基づいてシート上に画像を印刷する印刷手段とをさらに有し、
前記製本手段は、前記印刷手段により印刷が行われた複数のシートを含むシート束の中央部分に前記綴じ処理を実行するとともに該中央部分を基準とした前記折り処理を実行することを特徴とする請求項５に記載の製本装置。
【請求項７】
前記印刷手段による画像の印刷に用いられるシートの種類を設定する設定手段をさらに有し、
前記第１所定枚数及び前記第２所定枚数は、前記設定手段により設定される前記シートの種類に応じた枚数であることを特徴とする請求項６に記載の製本装置。
【請求項８】
前記第１の処理モード又は前記第２の処理モードのいずれの処理モードで前記製本装置を動作させるかを前記製本装置の操作者の指示に基づいて設定する他の設定手段をさらに有し、
前記製本手段により前記綴じ処理及び前記折り処理が実行されたシート束に含まれるシートの枚数が第１所定枚数以上かつ前記第１所定枚数より多い第２所定枚数以下となる場合、前記制御手段は、前記他の設定手段により設定された処理モードにて前記製本装置を動作させるよう制御することを特徴とする請求項６又は７に記載の製本装置。
【請求項９】
前記第２の処理モードは、前記綴じ処理及び前記折り処理が実行されたシート束であって前記加工処理が実行されていないシート束を生成する処理モードであることを特徴とする請求項１乃至８のいずれか１項に記載の製本装置。
【請求項１０】
前記第２の処理モードは、前記印刷手段による印刷をしない処理モードであることを特徴とする請求項３又は６記載の製本装置。
【手続補正２】
【補正対象書類名】明細書
【補正対象項目名】発明の名称
【補正方法】変更
【補正の内容】
【発明の名称】製本装置
【手続補正３】
【補正対象書類名】明細書
【補正対象項目名】０００１
【補正方法】変更
【補正の内容】
【０００１】
本発明は、スクエアバック処理に対応できるように構成された製本装置に関する。
【手続補正４】
【補正対象書類名】明細書
【補正対象項目名】００１１
【補正方法】変更
【補正の内容】
【００１１】
本発明の目的は、スクエアバック処理が可能な製本装置で、印刷の体裁及び／又は積載性に難のある中綴じ製本印刷物が不用意に作成されてしまうといったオペレータが意図しない新たなトラブルの発生を抑えることができる仕組みを提供することにある。
【手続補正５】
【補正対象書類名】明細書
【補正対象項目名】００１２
【補正方法】変更
【補正の内容】
【００１２】
上記目的を達成するために、本発明は、製本装置であって、複数のシートを含むシート束の中央部分に綴じ処理を実行するとともに該中央部分を基準とした折り処理を実行する製本手段と、前記製本手段により前記綴じ処理及び前記折り処理が実行されたシート束の背の部分に平坦面を形成する加工処理を実行する加工処理手段と、前記製本手段により前記綴じ処理及び前記折り処理が実行されたシート束に含まれるシートの枚数が所定枚数以下となる場合は前記綴じ処理及び前記折り処理が実行されたシート束に対して前記加工処理が実行されたシート束を生成する第１の処理モード又は前記綴じ処理及び前記折り処理が実行されたシート束に対して前記加工処理が実行されたシート束を生成しない第２の処理モードのいずれかで前記製本装置を動作させ、前記製本手段により前記綴じ処理及び前記折り処理が実行されたシート束に含まれるシートの枚数が前記所定枚数より多くなる場合は前記第１の処理モードで前記製本装置を動作させるよう制御する制御手段と、を有することを特徴とする。
【手続補正６】
【補正対象書類名】明細書
【補正対象項目名】００１３
【補正方法】変更
【補正の内容】
【００１３】
上記目的を達成するために、本発明は、製本装置であって、複数のシートを含むシート束の中央部分に綴じ処理を実行するとともに該中央部分を基準とした折り処理を実行する製本手段と、前記製本手段により前記綴じ処理及び前記折り処理が実行されたシート束の背の部分に平坦面を形成する加工処理を実行する加工処理手段と、前記製本手段により前記綴じ処理及び前記折り処理が実行されたシート束に含まれるシートの枚数が所定枚数以上となる場合は前記綴じ処理及び前記折り処理が実行されたシート束に対して前記加工処理が実行されたシート束を生成する第１の処理モード又は前記綴じ処理及び前記折り処理が実行されたシート束に対して前記加工処理が実行されたシート束を生成しない第２の処理モードのいずれかで前記製本装置を動作させ、前記製本手段により前記綴じ処理及び前記折り処理が実行されたシート束に含まれるシートの枚数が前記所定枚数より少なくなる場合は前記第２の処理モードで前記製本装置を動作させるよう制御する制御手段と、を有することを特徴とする。
【手続補正７】
【補正対象書類名】明細書
【補正対象項目名】００１４
【補正方法】変更
【補正の内容】
【００１４】
上記目的を達成するために、本発明は、製本装置であって、複数のシートを含むシート束の中央部分に綴じ処理を実行するとともに該中央部分を基準とした折り処理を実行する製本手段と、前記製本手段により前記綴じ処理及び前記折り処理が実行されたシート束の背の部分に平坦面を形成する加工処理を実行する加工処理手段と、前記製本手段により前記綴じ処理及び前記折り処理が実行されたシート束に含まれるシートの枚数が第１所定枚数以上かつ前記第１所定枚数より多い第２所定枚数以下となる場合は前記綴じ処理及び前記折り処理が実行されたシート束に対して前記加工処理が実行されたシート束を生成する第１の処理モード又は前記綴じ処理及び前記折り処理が実行されたシート束に対して前記加工処理が実行されたシート束を生成しない第２の処理モードのいずれかで前記製本装置を動作させ、前記製本手段により前記綴じ処理及び前記折り処理が実行されたシート束に含まれるシートの枚数が前記第１所定枚数より少なくなる場合は前記第２の処理モードで前記製本装置を動作させ、前記印刷手段により印刷されるシートの枚数が前記第２所定枚数より多くなる場合は前記第１の処理モードで前記製本装置を動作させるよう制御する制御手段と、を有することを特徴とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】変更
【補正の内容】
【００２９】
本発明によれば、印刷の体裁及び／又は積載性に難のある中綴じ製本印刷物が不用意に作成されてしまうといったオペレータが意図しない新たなトラブルの発生を抑えることができる。